(57)【特許請求の範囲】
【請求項１】
箱体の上面側を覆う上面覆い部と、前記箱体の側面側を覆う側面覆い部と、前記側面覆い部の先端側に設けられて前記箱体の側面の係合部に係合するかぎ型ロック部とが一体形成されたカバーを前記箱体に固定する箱体へのカバーの固定構造であって、前記カバーから突設されて前記箱体の上面を前記上面覆い部が覆った状態で先端部が弾性当接し前記かぎ型ロック部と前記係合部とが係合する係合方向へ前記カバーを付勢する弾性支えリブと、カバーから突設されて前記箱体に嵌合・支持される回転防止リブと、前記箱体の上面側に開口し前記回転防止リブが挿入・嵌合して前記係合部を中心とするカバーの回転を規制する規制溝とを備え、前記回転防止リブが断面Ｌ字状に形成され前記規制溝が前記箱体の前記側面と異なる他の側面に形成されていることを特徴とする箱体へのカバーの固定構造。
【請求項２】
請求項１記載の発明であって、前記かぎ型ロック部が、前記側面覆い部と一体に形成されたロック壁端部の基部と、この基部に対向した位置に設けられた規制壁と、この規制壁と前記基部とを連結すると共に、前記係合部が挿入・係合されるロック空間を前記規制壁と前記基部とで形成する連結壁とからなることを特徴とする箱体へのカバーの固定構造。
【請求項３】
請求項１又は請求項２記載の発明であって、前記箱体がコネクタを装着しこのコネクタからワイヤハーネスが引き出される電気接続箱であり、前記カバーが前記コネクタを覆うコネクタカバーであることを特徴とする箱体へのカバーの固定構造。
【発明の詳細な説明】
【０００１】
【発明の属する技術分野】
本発明は、箱体の上面及び側面を覆うカバーを箱体に固定する箱体へのカバーの固定構造に係り、電気接続箱へ該電気接続箱を覆うコネクタカバーを固定するのに好適な箱体へのカバーの固定構造に関する。
【０００２】
【従来の技術】
図９（ａ）、（ｂ）、（ｃ）は、実開昭６０−１５３５８４号公報に記載された従来の固定構造を示す。この固定構造では、プリント基板ホルダー（箱体）１に、カバーとしてのプリント基板２を固定する。
【０００３】
図９（ａ）、（ｂ）、（ｃ）に示すように、プリント基板ホルダー１には、可撓性の保持リブ３が突設されている。この保持リブ３の先端部には鉤部４が形成されている。鉤部４は、傾斜面５と、凸部６とを有している。また、プリント基板ホルダー１には、保持リブ３と同方向で保持リブ３より高さの低い支持リブ７が突設されている。さらに、プリント基板ホルダー１には、保持リブ３と支持リブ７との間に弾性支持リブ８が突設されている。この弾性支持リブ８は、保持リブ３より低く、支持リブ７より高くなっている。
【０００４】
そして、プリント基板２をプリント基板ホルダー１に固定する場合、図９（ａ）に示すように、プリント基板２をホルダー１側に向けて押圧すると、斜面５にプリント基板２の側端部が摺動し、保持リブ３が外側へ撓む。そして、プリント基板２が凸部６を乗り越えると、図９（ｂ）に示すように、保持リブ３が自身の弾性力で元の位置に戻り、プリント基板２が鉤部４の下方に位置し、凸部６がプリント基板２の側端部の係止孔９内に挿入する。このとき、プリント基板２は弾性支持リブ８と当接しており、この弾性支持リブ８の付勢力に抗してプリント基板２をホルダー１側へ押圧する。
【０００５】
プリント基板２の側端部が鉤部４の下方に位置し、係止孔９内に凸部６が挿入されて、図９（ｃ）に示すように、プリント基板２は、弾性支持リブ８と鉤部４との間で挟持された状態となり、ホルダー１に固定される。
【０００６】
【発明が解決しようとする課題】
ところが、図１０（ａ）に示すように、プリント基板２に面方向（矢印ａ方向）に力が作用すると、保持リブ３が外側へ撓み、鉤部４が傾くために係止孔９内から凸部６が抜き出て、プリント基板２がホルダー１から外れてしまうという問題を有している。
【０００７】
また、図９（ｂ）に示すように、プリント基板２の面に対して直交する方向（矢印ｂ方向）の力が作用するとプリント基板２が撓んで、この場合にも係止孔９から凸部６が抜き出てしまいプリント基板２がホルダー１から外れてしまう問題を有している。
【０００８】
そこで、本発明は、箱体（ホルダー）からのカバー（プリント基板）のはずれを防止することができる箱体へのカバーの固定構造の提供を目的とする。
【０００９】
【課題を解決するための手段】
上記目的を達成するため、請求項１の発明は、箱体の上面側を覆う上面覆い部と、前記箱体の側面側を覆う側面覆い部と、前記側面覆い部の先端側に設けられて前記箱体の側面の係合部に係合するかぎ型ロック部とが一体形成されたカバーを前記箱体に固定する箱体へのカバーの固定構造であって、前記カバーから突設されて前記箱体の上面を前記上面覆い部が覆った状態で先端部が弾性当接し前記かぎ型ロック部と前記係合部とが係合する係合方向へ前記カバーを付勢する弾性支えリブと、カバーから突設されて前記箱体に嵌合・支持される回転防止リブと、前記箱体の上面側に開口し前記回転防止リブが挿入・嵌合して前記係止部を中心とするカバーの回転を規制する規制溝とを備え、前記回転防止リブが断面Ｌ字状に形成され前記規制溝が前記箱体の前記側面と異なる他の側面に形成されていることを特徴としている。ことを特徴としている。
【００１０】
この箱体へのカバーの固定構造では、カバーの上面覆い部で箱体の上面側を覆い、側面覆い部で箱体の側面を覆う。この状態では、かぎ型ロック部が箱体の係合部に係合し、弾性支えリブがカバーをかぎ型ロック部と係合部との係合方向に付勢する。さらに、回転防止リブが箱体の規制溝に挿入・嵌合している。
【００１１】
このように箱体に固定されたカバーに、係合部を中心として回転する方向に力が加わった場合でも、回転防止リブが規制溝の内壁に当接することで上面覆い部の撓みや側面覆い部の撓みが規制されカバーの回転が阻止されて、弾性支えリブによってかぎ型ロック部からの係合部の抜けが阻止される。従って、箱体からのカバーの外れを防止することができる。また、この箱体へのカバーの固定構造では、回転防止リブがＬ字状断面に形成されているので、規制溝に挿入された状態では、回転方向によってＬ字の２つの面のうちのいずれかが規制溝の内面に当接する。このため、カバーに加わった２つの回転方向の力に対して、カバーの撓みを規制して回転を規制することができる。
【００１２】
請求項２の発明は、請求項１記載の発明であって、前記かぎ型ロック部が、前記側面覆い部と一体に形成されたロック壁端部の基部と、この基部に対向した位置に設けられた規制壁と、この規制壁と前記基部とを連結すると共に、前記係合部が挿入・係合されるロック空間を前記規制壁と前記基部とで形成する連結壁とからなることを特徴としている。
【００１３】
この箱体へのカバーの固定構造では、かぎ型ロック部のロック空間内に箱体の係合部が挿入された状態では、係合部は基部と規制壁との間に挿入されることでロック壁が多少撓んでもロック空間内から抜き出ることがない。従って、かぎ型ロック部から係合部が容易にはずれることがない。
【００１６】
請求項３の発明は、請求項１又は請求項２記載の発明であって、前記箱体がコネクタを装着しこのコネクタからワイヤハーネスが引き出される電気接続箱であり、前記カバーが前記コネクタを覆うコネクタカバーであることを特徴としている。
【００１７】
この箱体へのカバーの固定構造では、電気接続箱に装着されたコネクタから引き出されたワイヤハーネスから、コネクタカバーが電気接続箱から外れる方向へ力を受けると、回転防止リブが規制溝の内壁に当接してその回転を規制する。従って、コネクタカバーが電気接続箱から外れることがない。
【００１８】
【発明の実施の形態】
以下、本発明に係る箱体へのカバーの固定構造が適用された電気接続箱へのカバーの固定構造の実施形態について説明する。図１及び図２は、電気接続箱１０及びこの電気接続箱１０に固定されたコネクタカバー１１を示し、図３乃至図８は、コネクタカバー１１を示す。
【００１９】
図１及び図２に示すように、電気接続箱１０は、内部に分岐回路を有し、上面１２側に、分岐回路と接続されるコネクタ１３が装着されるコネクタ装着部１４が形成されている。また、電気接続箱１０の前面側の側面（図１において上面、図２において右側面）１５には、下部側に一対の係合部１６が形成されている。また、側面１５と異なる他の側面（図１において左右の側面、図２において正面）１７、１８側には、断面Ｌ字状の規制溝１９、２０が形成されている。これらの規制溝１９、２０は、側面１５からの位置がそれぞれ異なって配設されている。そして、この電気接続箱１０の上面１２及び側面１５は、コネクタカバー１１により覆われる。
【００２０】
コネクタカバー１１は、図３乃至図７に示すように、電気接続箱１０の上面１２を覆う上面覆い部２１と、側面１５を覆う側面覆い部２２と、側面覆い部２２の先端側に設けられて電気接続箱１０の側面１５の係合部１６に係合する一対のかぎ型ロック部２３、２３とが一体形成されている。
【００２１】
また、電気接続箱１０の上面１２を上面覆い部２１が覆った状態で先端部が弾性当接しかぎ型ロック部２３と係合部１６とが係合する方向へコネクタカバー１１を付勢する一対の弾性支えリブ２４がコネクタカバー１１の上面覆い部２１の裏面側から突設されている。この一対の弾性支えリブ２４の間及び、両側には、押えリブ２４ａが弾性支えリブ２４と共に突設されている。
【００２２】
さらに、電気接続箱１０の前記規制溝１９、２０に挿入される回転防止リブ２５、２６が上面覆い部２１の裏面側からそれぞれ突設されている。この回転防止リブ２５、２６は、断面Ｌ字状に形成されて、規制溝１９、２０の内壁に当接する二つの当接面２５ａ、２５ｂ、２６ａ、２６ｂを有している。
【００２３】
また、側面覆い部２２は、中央部分に矩形状の開口２７が形成され、この開口２７の両側に、覆い壁２８、２８と、この覆い壁２８と一体形成されたロック壁２９、２９とが一体形成されている。ロック壁２９、２９の先端部に、上記かぎ型ロック部２３、２３が設けられている。
【００２４】
かぎ型ロック部２３は、ロック壁２９の下端部の基部３０と、この基部３０に対向した位置に設けられた規制壁３１と、この規制壁３１と基部３０とを連結すると共に、係合部１６が挿入・係合されるロック空間３２を基部３０と規制壁３１とで形成する連結壁３３とで形成されている。
【００２５】
次に、コネクタカバー１１により電気接続箱１０の上面１２及び側面１５を覆うには、上面覆い部２１を上面１２上に位置させた状態で回転防止リブ２５、２６を規制溝１９、２０内に挿入し、弾性支えリブ２４が上面１２上に当接するまで挿入する。次に、側面覆い部２２側の上部を押圧して弾性支えリブ２４を撓ませ、かぎ型ロック部２３と係合部１６とを係合させる。この状態では、上面覆い部２１が電気接続箱１０の上面１２を覆い、側面覆い部２２が側面１５を覆った状態でコネクタカバー１１が電気接続箱１０に固定されている。
【００２６】
また、この状態で、ワイヤーハーネスから上面覆い部２１が離れる方向（図２の矢印ｆ方向）へ力を受けると、すなわち、係合部１６を中心に回転する方向へ力を受けると回転防止リブ２５、２６が規制溝１９、２０の内壁に当接することにより、この方向へのコネクタカバー１１の外れが防止される。
【００２７】
また、コネクタカバー１１の矢印ｆ方向への回転が防止されることにより、図８に示すようにロック壁２９が撓むことがなく、かぎ型ロック部２３から係合部１６が外れることがない。よって、かぎ型ロック部２３からの係合部１６のはずれを防止することができるので、コネクタカバー１１の電気接続箱１０からの外れを防止することができる。
【００２８】
また、本実施形態では、回転防止リブ２５、２６が断面Ｌ字状に形成されているため、規制溝１９、２０の内壁に当接する面が２つ存在する。これにより、規制溝１９、２０に挿入された状態では、コネクタカバー１１の回転方向によってＬ字の２つの面のうちのいずれかが規制溝１９、２０の内面に当接するため、コネクタカバー１１に加わった２つの回転方向の力に対して、コネクタカバー１１の回転を規制することができる。
【００２９】
さらに、本実施形態では、弾性支えリブ２４により係合部１６がかぎ型ロック部２３に係合する方向へコネクタカバー１１を常時付勢しているので、かぎ型ロック部２３から係合部１６が不用意に抜け出ることがない。
【００３０】
【発明の効果】
以上説明したように請求項１の発明によれば、係合部を中心として回転する方向に力が加わった場合でも、回転防止リブが規制溝の内壁に当接することでカバーの回転が阻止され、弾性支えリブによってかぎ型ロック部からの係合部の抜けが阻止され、箱体からのカバーの外れを防止することができる。また、回転防止リブがＬ字状断面に形成されているので、規制溝に挿入された状態では、回転方向によってＬ字の２つの面のうちのいずれかが規制溝の内面に当接し、カバーに加わった２つの回転方向の力に対して、カバーの回転を規制することができる。
【００３１】
請求項２の発明によれば、かぎ型ロック部のロック空間内に箱体の係合部が挿入された状態では、係合部は基部と規制壁との間に挿入されることでロック壁が多少撓んでもロック空間内から抜き出ることがなく、かぎ型ロック部から係合部が容易にはずれることがない。
【００３３】
請求項３の発明によれば、電気接続箱に装着されたコネクタから引き出されたワイヤハーネスから、コネクタカバーが電気接続箱から外れる方向へ力を受けると、回転防止リブが規制溝の内壁に当接してその回転を規制するので、コネクタカバーが電気接続箱から外れることがない。
【図面の簡単な説明】
【図１】本発明に係る箱体へのカバーの固定構造が適用された電気接続箱とコネクタカバーとを示す平面図である。
【図２】本発明に係る箱体へのカバーの固定構造が適用された電気接続箱とコネクタカバーとを示す側面図である。
【図３】コネクタカバーを示す斜視図である。
【図４】コネクタカバーを示す平面図である。
【図５】コネクタカバーを示す正面図である。
【図６】コネクタカバーを示す背面図である。
【図７】（ａ）はコネクタカバーを示す側面図であり、（ｂ）は図４のｂ−ｂ線に沿って切断した断面図である。
【図８】ロック壁とかぎ型ロック部を示す断面図である。
【図９】従来の固定構造を用いてプリント基板ホルダーにプリント基板を固定する構造を示し、（ａ）はプリント基板をホルダー側に押圧した状態を示す側面図、（ｂ）はプリント基板の側端部が鉤部の下部に位置した状態を示す側面図、（ｃ）はプリント基板の係止孔内に凸部が係合した状態を示す側面図である。
【図１０】（ａ）はプリント基板に平面方向の力が加わった状態を示す側面図、（ｂ）はプリント基板に平面に対して垂直な方向の力が加わった状態を示す側面図である。
【符号の説明】
１０  電気接続箱（箱体）
１１  コネクタカバー（カバー）
１２  上面
１５  側面
１６  係合部
１９、２０  規制溝
２１  上面覆い部
２２  側面覆い部
２３  かぎ型ロック部
２４  弾性支えリブ
【図１】
0003706233.tif 000002
【図２】
0003706233.tif 000003
【図３】
0003706233.tif 000004
【図４】
0003706233.tif 000005
【図５】
0003706233.tif 000006
【図６】
0003706233.tif 000007
【図７】
0003706233.tif 000008
【図８】
0003706233.tif 000009
【図９】
0003706233.tif 000010
【図１０】
0003706233.tif 000011